(57)【特許請求の範囲】
【請求項１】
複数の雌形端子金具を装着した雌コネクタと、この雌コネクタが嵌合される嵌合凹部を有し前記各雌形端子金具と接続可能な複数の雄形端子金具をそれぞれのタブが前記嵌合凹部内に突出した状態で装着してなる雄コネクタとを備え、前記雄コネクタに回転自由に設けたボルトを前記雌コネクタ側のナット部に螺合して締め付けることにより、両コネクタを嵌合するようにしたボルト締めコネクタにおいて、
前記雄コネクタの嵌合凹部内には、前記各雄形端子金具のタブをそれぞれに挿通可能な挿通孔を開口した整列部材が、両コネクタの嵌合方向に沿った方向の移動可能に設けられ、この整列部材に前記ボルトと螺合するねじ孔が形成されていることを特徴とするボルト締めコネクタ。
【請求項２】
前記整列部材の挿通孔におけるタブの入り口側の口縁には、タブを挿通孔に導入するためのテーパ状のガイド面が形成されていることを特徴とする請求項１記載のボルト締めコネクタ。
【発明の詳細な説明】
【０００１】
【産業上の利用分野】
本発明は、ボルトの締結力を利用して雌雄のコネクタを嵌合するボルト締めコネクタに関する。
【０００２】
【従来の技術】
従来、多極コネクタのように高い嵌合力を要するコネクタでは、ボルトの締結力を利用したボルト締めコネクタが用いられている。このものは、図８に示すように、雌コネクタ１と、この雌コネクタ１が嵌合される嵌合凹部３を有する雄コネクタ２とを備えており、雌コネクタ１内には複数の雌形端子金具が整列して装着される一方、雄コネクタ２内には、同数の雄形端子金具が上記の各雌形端子金具と対応して整列され、かつそれぞれのタブ４を嵌合凹部３内に突出させた状態で装着されている。そして、雄コネクタ２に設けられたボルト５を雌コネクタ１に固定したナット６に螺合して締め付けることにより、図９に示すように雌雄のコネクタ１、２を嵌合し、対応する雌雄の端子金具同士を接続するようになっている。
【０００３】
【発明が解決しようとする課題】
ところで嵌合前の雄コネクタ２について見ると、その中に装着された雄形端子金具のタブ４は、嵌合凹部３内に収容されて回りを周壁で囲まれてはいるものの外部に露出した状態にあるため、例えば雄コネクタ２を単体で取り扱う際に、異物が入って当たる等によりタブ４が曲がってアライメントが狂うおそれがある。それが看過されて雌雄のコネクタ１、２の嵌合作業を行うと、雌雄の端子金具が正規に嵌合されない。またタブ４の曲がりが大きい場合は雌コネクタ１の先端面に突き当たるのであるが、ボルト締めの場合は大きな嵌合力が得られるために、さしたる抵抗を覚えることなくタブ４をさらに押し曲げつつそのまま嵌合が行われてしまい、すなわち端子金具同士が未嵌合の状態に留め置かれるおそれがあった。
【０００４】
本発明は上記のような事情に基づいて完成されたものであって、雄形端子金具のタブを保護するとともにそのアライメントを確保し、もって雌雄の端子金具同士を正規に嵌合し得るようにしたボルト締めコネクタを提供することを目的とする。
請求項２の発明は、上記の目的に加え、整列部材の挿通孔にタブを円滑に挿通し得るようにすることを目的とする。
【０００５】
【課題を解決するための手段】
上記の目的を達成するための手段として、請求項１の発明は、複数の雌形端子金具を装着した雌コネクタと、この雌コネクタが嵌合される嵌合凹部を有し前記各雌形端子金具と接続可能な複数の雄形端子金具をそれぞれのタブが前記嵌合凹部内に突出した状態で装着してなる雄コネクタとを備え、前記雄コネクタに回転自由に設けたボルトを前記雌コネクタ側のナット部に螺合して締め付けることにより、両コネクタを嵌合するようにしたボルト締めコネクタにおいて、前記雄コネクタの嵌合凹部内には、前記各雄形端子金具のタブをそれぞれに挿通可能な挿通孔を開口した整列部材が、両コネクタの嵌合方向に沿った方向の移動可能に設けられ、この整列部材に前記ボルトと螺合するねじ孔が形成されている構成としたところに特徴を有する。
【０００６】
請求項２の発明は、請求項１の発明において、前記整列部材の挿通孔におけるタブの入り口側の口縁には、タブを挿通孔に導入するためのテーパ状のガイド面が形成されている構成としたところに特徴を有する。
【０００７】
【作用】
請求項１の発明の作用は以下のようである。雄コネクタの嵌合凹部内に整列部材を装着し、そのねじ孔にボルトの先端をかみ合わせて螺進させると、整列部材の各挿通孔に各タブが臨むかあるいはその直下に対応した状態となって、整列部材が各タブの上方を覆って支持される。それによりタブの保護がなされる。雄コネクタの嵌合凹部に雌コネクタを嵌めると、そこに設けられたナット部がボルトの先端にかみ合わされる。続いてボルトの回転操作を行うと、整列部材は、そのねじ孔がボルトと螺合していることで、タブを対応する挿通孔に挿通しつつ嵌合凹部の奥方に引き寄せられる。それによりタブのアライメントが確保される。それとともに、ボルトとナット部の螺合により雌コネクタが嵌合凹部の奥方に引き寄せられ、対応する雌雄の端子金具同士が嵌合接続される。
請求項２の発明では、タブが整列部材の挿通孔に挿通される際、入り口のガイド面に沿うことで円滑に挿通され、またタブの姿勢の矯正もなされる。
【０００８】
【発明の効果】
請求項１の発明によれば、整列部材を設けたことによりコネクタの嵌合前におけるタブの保護がなされてその変形が防止され、また雌雄のコネクタの嵌合途中におけるタブのアライメントも確保できて、雌雄の端子金具同士を確実に正規に嵌合接続し得る効果がある。
請求項２の発明によれば、上記の効果に加え、整列部材の挿通孔にタブが挿通される作動が円滑に行われ、嵌合作業をより能率良く行うことができる効果がある。
【０００９】
【実施例】
以下、本発明の実施例を添付図面に基づいて説明する。
＜第１実施例＞
図１ないし図５は本発明の第１実施例を示す。図１において、符号１１は雌コネクタであって、合成樹脂材により外形直方体状に成形されており、その内部に整列して形成された図示しないキャビティ内に、それぞれ雌形端子金具１２が同図の上面側から挿入されて装着されている。その雌コネクタ１１の下面の中央部には、後記する雄コネクタ１６に設けられたボルト２３と螺合可能なナット１３が、インサート成形により固設されている。また、ボルト２３の先端側を逃がすための逃がし孔１４がナット１３と同心に形成されている。
【００１０】
一方の雄コネクタ１６は同じく合成樹脂材によって成形され、図２にも示すように、本体部１７の上面の周縁に、角筒形のフード１８を設けた形状に形成されている。このフード１８の内部が、上記した雌コネクタ１１が略緊密に嵌合される嵌合凹部１９となっている。雄コネクタ１６の本体部１７には、図示しない複数のキャビティが雌コネクタ１１のキャビティと対応して整列して形成されており、各キャビティ内に、それぞれ雄形端子金具２０が図１の下面側から挿入されて、そのタブ２１を嵌合凹部１９内に突出させた状態で装着されている。
【００１１】
雄コネクタ１６の本体部１７内の中心位置には、ボルト２３の挿通孔２４が上下両面を貫通して形成されている。ボルト２３は、軸部２５の先端部に雄ねじ２６が切られているとともに、座２８付きのボルト頭２７を備えている。このボルト２３が挿通孔２４内に図１の下面側から挿通され、ボルト頭２７の座２８が挿通孔２４の口縁に当てられたところで、軸部２５の途中に嵌着されたＣリング等の止め輪２９が、挿通孔２４の内周面に切られた係止溝３０に嵌まることで、ボルト２３が軸線方向の移動不能に、かつ軸線回りの回転自由に保持されている。このときボルト２３の雄ねじ２６の先端は、タブ２１の先端よりも少し上方に突出した状態となる。
【００１２】
さて本実施例では、雄コネクタ１６に装着された雄形端子金具２０のタブ２１を保護し、かつそのアライメントを確保するための整列板３２が備えらている。整列板３２は合成樹脂製であって、雄コネクタ１６の嵌合凹部１９内に略緊密に嵌合可能な平面方形に形成されている。この整列板３２には、雄形端子金具２０の各タブ２１を挿通可能な同数の挿通孔３３が、タブ２１の整列位置に対応して開口されている。また、整列板３２の中心には、上記したボルト２３の雄ねじ２６が螺合可能なねじ孔３４が形成されている。
【００１３】
本第１実施例は上記のような構造であって、続いてその組み付け手順を説明する。まず雄コネクタ１６の嵌合凹部１９内に、図３の鎖線に示すように整列板３２を嵌める。そうすると、ボルト２３の雄ねじ２６の先端にねじ孔３４がかみ合わされる。続いて、ボルト２３をねじ込み方向に回転させると、整列板３２は嵌合凹部１９内に回転不能の状態で嵌まつているから、雄ねじ２６がねじ孔３４内を螺進しつつ整列板３２が嵌合凹部１９の底面側に引き寄せられる。この際のボルト２３の回転は、同図の実線に示すように、雄ねじ２６の先端が整列板３２の上面に少し突出する程度に留められる。このとき各タブ２１は、整列板３２の対応する挿通孔３３内に少し入り込んだ状態となる。これにより整列板３２は、各タブ２１の上方を覆ってそれを保護した状態で支持されることになり、嵌合凹部１９内に異物等が入り込んでタブ２１を変形させることが防止される。
【００１４】
このように整列板３２が支持された状態から、図４に示すように嵌合凹部１９内に雌コネクタ１１を嵌める。それによりボルト２３の雄ねじ２６の先端に、雌コネクタ１１のナット１３がかみ合わされる。引き続いて、ボルト２３をねじ込み方向に回転させると、図５の鎖線に示すように、整列板３２が嵌合凹部１９の底面側に引き寄せられるとともに、雌コネクタ１１は嵌合凹部１９内に同じく回転不能に嵌まっているから、雄ねじ２６がナット１３内を螺進しつつ雌コネクタ１１が整列板３２と一体的に引き寄せられる。そして、同図の実線に示すように、整列板３２が嵌合凹部１９の底面に当たったところでボルト２３のねじ込みが停止され、雌雄のコネクタ１１、１６の嵌合が完了する。
【００１５】
上記した整列板３２が引き寄せられる際には、各タブ２１を挿通孔３３に挿通しつつ引き寄せられるのであるから、各タブ２１のアライメントが確保され、対応する雌雄の端子金具１２、２０同士が確実に正規に嵌合接続される。
【００１６】
雌雄のコネクタ１１、１６の嵌合を解除する場合は、ボルト２３を緩める方向に回転させると、雌コネクタ１１と整列板３２とが上記とは逆に一体的となって上方に引き離され、同じくタブ２１は挿通孔３３内に挿通されていることから、アライメントは保証される。
【００１７】
このように本第１実施例によれば、コネクタの嵌合前においては整列板３２がタブ２１を覆って保護することでその変形が防止され、また雌雄のコネクタ１１、１６の嵌合途中では、整列板３２によりタブ２１のアライメントが確保され、もって雌雄の端子金具１２、２０同士を確実に正規に嵌合接続することが可能となる。
【００１８】
なおこの第１実施例では、ボルト２３の雄ねじ２６の先端にねじ孔３４をかみ合わせて、整列板３２が各タブ２１を覆った状態で支持する場合に、各タブ２１の先端を挿通孔３３内に臨ませるようにしたが、各タブ２１は挿通孔３３に入ることなくその直下に留まる構造としてもよい。
【００１９】
＜第２実施例＞
図６および図７は本発明の第２実施例を示す。この実施例では、整列板４１に開口されたタブ２１の挿通孔４２における下面側の口縁に、テーパ状のガイド面４３が形成されている。その他の構造は前記の第１実施例と同様であって、同一の構成部材については同一符号を付して重複した説明は省略する。
【００２０】
すなわち、この第２実施例によれば、整列板４１をボルト２３の先端に初めに支持する場合において、タブ２１の姿勢が図７の鎖線に示すように既に傾いていたとしても、タブ２１の先端は挿通孔４２の下端側に余裕を持って導入される。そして、ボルト２３の回転により整列板４１が雌コネクタ１１ともども引き寄せられると、傾いたタブ２１はガイド面４３に当たって、同図の実線に示すように、自動的に真直姿勢に矯正されつつ挿通孔４２に挿通される。
【００２１】
なお、上記のような挿通孔４２にガイド面４３を設けた整列板４１は、第１実施例の末尾で述べたように、整列板４１が初めに支持された場合に、タブ２１の先端が挿通孔４２の直下に留まる設定のものにも適用でき、タブ２１の先端をガイド面４３を介して円滑に挿通孔４２に導くことが可能となる。
【００２２】
＜他の実施例＞
本発明は上記記述及び図面によって説明した実施例に限定されるものではなく、例えば次のような実施態様も本発明の技術的範囲に含まれ、さらに、下記以外にも要旨を逸脱しない範囲内で種々変更して実施することができる。
（１）上記の実施例では、合成樹脂製の整列板に直接にねじ孔を形成した構造としたが、ねじ孔を形成した金属製の雌ねじ体を別部品として設けて、それを圧入またはインサート成形により整列板に固設するようにしてもよい。
【図面の簡単な説明】
【図１】本発明の第１実施例の組み付け前の状態の断面図である。
【図２】雄コネクタと整列板の斜視図である。
【図３】整列板を雄コネクタの嵌合凹部内に支持した状態の断面図である。
【図４】雄コネクタの嵌合凹部内に雌コネクタを嵌め込んだ状態の断面図である。
【図５】雌雄のコネクタが完全嵌合された状態の断面図である。
【図６】第２実施例に係る整列板の部分拡大断面図である。
【図７】そのタブの挿通動作を示す断面図である。
【図８】従来例の組み付け前の状態の断面図である。
【図９】その組み付け後の状態の断面図である。
【符号の説明】
１１…雌コネクタ
１２…雌形端子金具
１３…ナット
１６…雄コネクタ
１９…嵌合凹部
２０…雄形端子金具
２１…タブ
２６…雄ねじ
３２…整列板
３３…挿通孔
３４…ねじ孔
４１…整列板
４２…挿通孔
４３…ガイド面
【図１】
0003562038.tif 000002
【図２】
0003562038.tif 000003
【図３】
0003562038.tif 000004
【図４】
0003562038.tif 000005
【図５】
0003562038.tif 000006
【図６】
0003562038.tif 000007
【図７】
0003562038.tif 000008
【図８】
0003562038.tif 000009
【図９】
0003562038.tif 000010